(57)【特許請求の範囲】
【請求項１】
中空容器と、中空容器の内部に収納したエジェクターと、容器外からエジェクターに加圧空気を供給する給気チューブと、容器の側面に開口した通水孔と、容器の上面に取り付けた上下方向に貫通する吐出筒とより構成し、
当該吐出筒は、サクションホースを着脱可能に取り付けられる構造を有し、
エジェクターは、
加圧空気を噴射するノズルと、内部の通路の内径を絞ったディフーザと、ノズル先端とディフーザの通路の入口との接触点付近の側面に開口した吸引口とより構成し、
ディフーザのノズルと反対側の噴射口に取り付けた延長チューブの一部を吐出筒の内部に位置させ、吐出筒内にエアリフトが生じるように構成したことを特徴としたエアリフトポンプ。
【発明の詳細な説明】
【技術分野】
【０００１】
本発明はエアリフトポンプに関するものである。
【背景技術】
【０００２】
図３に示すような揚水槽ａ内に貯留した液体をサクション管ｃを通して移送するポンプｂとして、電動式の水中ポンプやダイヤフラム構造のポンプが知られている。
また、水エジェクターポンプも知られている。
【先行技術文献】
【特許文献】
【０００３】
【特許文献１】特開平９−１１２４８０号公報
【発明の概要】
【発明が解決しようとする課題】
【０００４】
前記した従来の液体を移送するポンプにあっては、各々次のような問題点がある。
＜１＞  メタンガスなどの爆発の可能性のある空間で液体の移送を行う場合には、通常の水中ポンプを使用することはできず、それよりも高価な特殊な防爆型の水中ポンプを使用する必要があり不経済である。
＜２＞  水位の変動がある場所で水中ポンプを使用した場合に、水位が低下して空運転を行うと故障の原因となる。
＜３＞  回転する羽根によって水を押し上げる構造のポンプでは、水中にある砂などの粒子が羽根に衝突し、この衝突を繰り返すことによって長時間の運転によって羽根が摩耗する。
＜４＞  エア駆動によるダイヤフラムポンプは揚程が６ｍ程度に制限され、用途に限界がある。
＜５＞  またダイヤフラムポンプは空運転時のダイヤフラムの損傷が激しく用途によっては不経済である。
＜６＞  水エジェクターによって液体を移送するポンプも揚程が６ｍ程度であって用途が制限される。
【課題を解決するための手段】
【０００５】
本発明のエアリフトポンプは、中空容器と、中空容器の内部に収納したエジェクターと、容器外からエジェクターに加圧空気を供給する給気チューブと、容器の側面に開口した通水孔と、容器の上面に取り付けた上下方向に貫通する吐出筒とより構成し、当該吐出筒は、サクションホースを着脱可能に取り付けられる構造を有し、
エジェクターは、加圧空気を噴射するノズルと、内部の通路の内径を絞ったディフーザと、ノズル先端とディフーザの通路の入口との接触点付近の側面に開口した吸引口とより構成し、ディフーザのノズルと反対側の噴射口に取り付けた延長チューブの一部を吐出筒の内部に位置させ、吐出筒内にエアリフトが生じるように構成したことを特徴としたものである。
【発明の効果】
【０００６】
本発明のエアリフトポンプは次のような効果を得ることができる。
＜１＞  電気を使用しないので、メタンガスなどの発生する防爆エリアでも安全に液体の移送を行うことができる。
＜２＞  機械的な可動部が存在しないので、メンテナンスを必要としない。
＜３＞  供給した加圧空気は、エジェクターを通過する際に負圧を生じさせるためだけでなく、エジェクターの噴射口から噴射してからは、エアリフト用のエアとして機能させることができる。
＜４＞  このように噴射空気のエアリフトの作用を利用するから、液体の移送において高い揚程を確保することができる。実際に実験によれば１５ｍの高い揚程を確保することができた。
＜５＞  移送すべき液体がなくなって空運転をする場合にも、エアが噴出するだけでポンプに対する負担がなく、損傷する可能性がない。
＜６＞  エジェクターの負圧によって液体を吸引する構造だから、残水ポンプとしても使用することができる。
＜７＞  エジェクターやホースなどの素材を選択すれば、あらゆる種類の液体を対象として、専用のポンプを製造することができる。
【図面の簡単な説明】
【０００７】
【図１】本発明のエアリフトポンプの実施例の説明図
【図２】エジェクターの説明図
【図３】エアリフトポンプを使用する例の説明図
【発明を実施するための形態】
【０００８】
以下図面を参照にしながら本発明のエアリフトポンプの好適な実施の形態を詳細に説明する。
【実施例】
【０００９】
＜１＞容器
本発明のエアリフトポンプは、容器１とその内部に収納したエジェクター２とによって構成する。
容器１は中空の筒体である。
容器１はその側面に多数の通水孔１１を開口して、対象とする液体を容器１内への取り入れに利用する。
容器１の上面には、後述する吐出筒１２を、その吐出のための中空の通路が上下方向に貫通するように取り付ける。
【００１０】
＜２＞エジェクター（図２）
中空容器１の内部に収納したエジェクター２は、外筒２１の内部にノズル２２とディフューザ２３を配置した公知の装置である。
内部の通路が鉛直になるように設置したエジェクター２において、外筒２１の下部から供給した加圧空気をノズル２２からディフューザ２３の下端の開口部に向けて噴射するように構成する。
ディフューザ２３はその内部の中心の通路の内径を絞って構成してある。
そのため、ディフューザ２３を通過する加圧空気の速度が増加し、これに比例してディフューザ２３のノズル２２側の入口に負圧が生じる。
外筒２１の一部には、吸引口２４を開口するが、その開口位置は、ノズル２２の上端と、ディフューザ２３の通路の下端との接触点付近の側面である。
【００１１】
＜３＞給気チューブ
容器１の外からエジェクター２の下端に加圧空気を供給する。
そのために、容器１内には給気チューブ３を配置して給気チューブ３の一端はエジェクター２の下端に接続する。
給気チューブ３の他端は、コンプレッサーに接続して加圧空気をエジェクター２に供給し得るように構成する。したがって給気チューブ３は、鋼管によって構成することもできる。
【００１２】
＜４＞エアリフト
容器１の上面の中央には、上下方向に通路を備えた筒体である吐出筒１２を設ける。この吐出筒１２の下端は閉塞してあり、延長チューブ２６の開放端だけを貫通状態で位置させる。
ここに延長チューブ２６とは、ディフューザ２３の上端の噴射口２５に取り付けた管体である。この延長チューブ２６の上端を、下端を閉塞した吐出筒１２の内部に位置させて開放することによって、吐出筒１２内にエアリフトが生じるように構成する。
【００１３】
＜５＞作動の説明
容器１の上部の吐出筒１２の上端にサクションホース４を取り付ける。
このサクションホース４は、本発明のポンプで移送する流体を外部に排出するための管体であり、鋼管を使用することもできる。
そして容器１を例えば液体の溜まっている水槽の中に設置する。
その状態でコンプレッサーで加圧した加圧空気を給気チューブ３を通して容器１内に鉛直方向に設置したエジェクター２の下端から供給する。
するとディフューザ２３で加速する加圧空気によって、エジェクター２の外筒２１内に負圧が生じる。
そのエジェクター２では前記したように、ノズル２２の上端と、ディフューザ２３の下端の開口部は接近して位置しており、その付近に、吸引口２４が開口している。
そのためにエジェクター２の外筒２１内に生じた負圧によって容器１の内部、および通水孔１１から流入する容器１の外部の液体を、エジェクター２のディフューザ２３内へ吸引して、その上端の噴射口２５から上方へ噴射させることができる。
その際に噴射口２５の先端に取り付けた延長チューブ２６は、その上端の一部が吐出筒１２の内部に位置しているので、吐出筒１２、およびそれに接続したサクションホース４内にエアリフトが発生して高い揚程まで液体を揚げることができる。
【符号の説明】
【００１４】
１：容器
１１：通水孔
１２：吐出筒
２：エジェクター
２２：ノズル
２３：ディフューザ
３：給気チューブ
【図１】
0006422315.tif 000002
【図２】
0006422315.tif 000003
【図３】
0006422315.tif 000004